(57)【要約】【課題】音の検出を利用することにより、新たなハードウェア資源を追加することなく小型化・省電力化を維持しつつも、操作の利便性を向上させる移動通信端末などを実現する。【解決手段】本発明の移動通信端末は、入力した操作を受け付けるボタン部１０６と、入力した音を受け付けるマイク１０７と、音データを処理する音声処理部２００と、前記音データより、当該音データに係る音の要素を検出する音検出部３００と、前記音検出部３００による検出のタイミングを生成するタイミング生成手段を有し、前記タイミングにおいて前記音検出部３００により検出された音の要素に基づいて、前記ボタン部１０６による操作の処理（カーソルを上下左右に移動させること等）、または、当該操作に連動した処理（ボタン用照明部１１７を点灯すること等）を実行することを特徴とする。【選択図】図６
2007201940.tif 000002
【特許請求の範囲】
【請求項１】
入力した操作を受け付ける操作手段と、
入力した音を受け付ける音入力手段と、
音データを処理する音処理手段と、
前記音データより、当該音データに係る音の要素を検出する音検出手段と、
前記音検出手段による検出のタイミングを生成するタイミング生成手段を有し、
前記タイミングにおいて前記音検出手段により検出された音の要素に基づいて、前記操作手段による操作の処理、または、当該操作に連動した処理を実行することを特徴とする移動通信端末。
【請求項２】
前記音の要素は、前記音入力手段より入力された音の大きさであり、
入力された音の大きさが所定の大きさ以上である場合に、前記操作手段による操作の処理、または、当該操作に連動した処理を実行することを特徴とする請求項１に記載の移動通信端末。
【請求項３】
前記所定の大きさとは、入力された音が前記音検出手段により検出されるタイミングの直前のタイミングにおいて前記音検出手段により検出された音の大きさであることを特徴とする請求項２に記載の移動通信端末。
【請求項４】
前記音の要素は、前記音入力手段より入力された音のうち特定のものである特定音であり、
前記タイミングにおいて前記音検出手段により検出された特定音に基づいて、前記操作手段による操作の処理、または、当該操作に連動した処理を実行することを特徴とする請求項１に記載の移動通信端末。
【請求項５】
前記特定音は、前記移動通信端末を叩く音、または、擦る音であることを特徴とする請求項４に記載の移動通信端末。
【請求項６】
音データに係る音の要素を検出するタイミングを生成するタイミング生成工程と、
前記タイミングにおいて、入力された音の音データより、当該音データに係る音の要素を検出する音検出工程と、
検出した前記音の要素に基づいて、移動通信端末の操作の処理、または、当該操作に連動した処理を実行する操作処理工程を有することを特徴とする移動通信端末の操作制御方法。
【請求項７】
コンピュータに、
入力した操作を受け付ける操作手段と、
入力した音を受け付ける音入力手段と、
音データを処理する音処理手段と、
前記音データより、当該音データに係る音の要素を検出する音検出手段と、
前記音検出手段による検出のタイミングを生成するタイミング生成手段として機能させ、
前記タイミングにおいて前記音検出手段により検出された音の要素に基づいて、前記操作手段による操作の処理、または、当該操作に連動した処理を実行させることを特徴とする移動通信端末のプログラム。
【請求項８】
請求項７に記載のプログラムを記録した記録媒体。
【発明の詳細な説明】
【技術分野】
【０００１】
本発明は、通話用のマイクを有する移動通信端末において、特に、通話以外の時にマイクから音を検出し、照明の点灯などの制御に関するものである。
【背景技術】
【０００２】
既存の移動通信端末はマンマシンインタフェースとして機能しており、ユーザによる操作の利便性の向上が追求されている。追求する内容を具体的に指摘するにあたり、まず、市場に出回っている移動通信端末の一般的な機能について説明する。
【０００３】
既存の移動通信端末の外観構成を携帯電話１００として図１に示す。携帯電話１００は筐体を折りたためる構造であり、（ａ）に注目すると、主な構成品として上部筐体１０１にはレシーバ１０２、液晶ディスプレイである表示部１０３、アンテナ１０４があり、下部筐体１０５にはボタン部１０６、マイク１０７がある。（ｂ）は下部筐体１０５を分解した構造を図示したものである。ボタン部１０６は下部筐体１０５内にボタン１０８等複数のボタン（「０」〜「９」の数字を入力するボタン、表示部１０３に表示されるカーソルを上下左右に動かすボタン、上下サイドボタンなどを含む。）を持つボタンシート部１０９と、ボタンシート部１０９の下にある基板１１０から成る。ボタン１０８は裏面に導電体を有しており、あるボタンが押されると基板１１０上のボタン回路１１１と接触して回路が繋がり、そのボタンが押されたことを感知する。基板１１０上には発光ダイオード１１２等、照明機能を有する複数の素子を有しており、ボタンシート部１０９を透かして各ボタンを裏面から照らす。
【０００４】
操作の利便性を向上させる第１の問題点は、ボタン部１０６の照明を制限することによる誤動作に関するものである。ボタン部１０６の照明は図２（ｂ）に図示するように行われるが、このような照明は暗い場所での使用を考慮してなされるのが一般的である。
【０００５】
一方、携帯電話は電池寿命をより長くするために省電力設計が必要であるが、照明機能は消費電流が大きいため、照明時間を制限する機能が設けられている。しかし、この照明時間の制限により、暗闇での操作において誤操作に至ることがある。図３はメール編集を行う場合にボタンの照明を制限する様子をフローチャートとして図示したものである。
【０００６】
まず、メール編集を行うにあたり最初にボタン用照明を点灯する（Ｓ０１）。次に、ボタン用照明の点灯時間を監視するカウンタを初期化し、カウンタをスタートさせ（Ｓ０２）、ボタン押下待ち状態に移行する。ボタンが押下され（Ｓ０３でＹｅｓ）、ボタン照明が点灯中であれば（Ｓ０４でＹｅｓ）、直ちにカウンタを初期化し、カウンタをスタートさせ（Ｓ０５）、ボタン照明が点灯中でなければ（Ｓ０４でＮｏ）、ボタン照明を点灯して（Ｓ０６）からカウンタを初期化し、スタートさせ（Ｓ０５）、押下されたボタンに該当する処理を実行する（Ｓ０７）。メール文章を完成させる等してメール編集を終了すれば（Ｓ０８でＹｅｓ）一連の操作を終える。
【０００７】
ボタンが押されない場合（Ｓ０３でＮｏ）、ボタン照明が点灯中であり（Ｓ０９でＹｅｓ）、カウンタがタイムアウトになれば（Ｓ１０でＹｅｓ）、ボタン照明を消灯し（Ｓ１１）、カウンタを停止した後（Ｓ１２）、ボタン押下待ち状態に移行する。ボタン照明が点灯中でない場合（Ｓ０９でＮｏ）、または、カウンタがタイムアウトでない場合（Ｓ１０でＮｏ）はボタン押下待ち状態に移行する。また、メール編集が終了していなければ（Ｓ０８でＮｏ）、カウンタのタイムアウトに移行する（Ｓ１０）。
【０００８】
このように、ボタン部１０６の照明はボタン押下など使用者の操作があった場合に点灯し、予め設定された時間以内に次の操作が行われないと消灯するようになっている。そのため、ユーザは暗闇における最初のボタン押下を照明が消灯した状態で行わなければならず、意図しないボタンを押してしまい誤操作に至ってしまうことがある。２回目以降のボタン押下においても、照明が点灯している状態で一定時間放置するとボタン照明が消灯してしまうので同様の誤操作に至る可能性がある。
【０００９】
操作の利便性を向上させる第２の問題点は、表示部１０３で表示されるカーソルの操作、項目実行の煩雑化に関するものである。カーソルの操作はボタン部１０６のうち、主に上ボタン、下ボタン、左ボタン、右ボタン、センターボタンを用いて行う。図４は、表示部１０３で表示される画面を図示したものである。（ａ）はメール編集におけるメール作成画面である。ボタン部１０６を操作して文字等を入力する。（ｂ）〜（ｄ）は携帯電話の状態を設定するときに使用する各種設定画面である。（ｂ）においては”[1]着信”が白黒反転表示しており、この項目にカーソルがあることを示す。この状態で下ボタンを入力すると（ｃ）の状態になり、カーソルが”[1]着信”の１つ下の”[2]通話”に移動した状態を示す。この状態で右ボタンを入力すると（ｄ）の状態になり、カーソルが次のページ先頭である”[1]ネットワーク設定”に移動した状態を示す。”[1]ネットワーク設定”にカーソルが移動してセンターキーを入力すると、その項目を実行してネットワークの設定に関する画面が表示されることになる。
【００１０】
図５は設定メニューの内容を実行するまでの操作をフローチャートとして図示したものである。まず、設定メニュー画面が表示されているときにはボタン押下待ち状態に移行している。ボタンが押下されれば（Ｓ０１でＹｅｓ）、そのボタンの種類を判別する（Ｓ０２）。センターボタンを押せば、現在カーソルがある項目を実行し（Ｓ０３）、「０」〜「９」ボタンを押せば、該当する番号の項目を実行する（Ｓ０４）。また、下矢印ボタンを押せばカーソルを１つ下に移動し（Ｓ０５）、上矢印ボタンを押せばカーソルを１つ上に移動し（Ｓ０６）、右矢印ボタンまたは下サイドボタンを押せばカーソルを次ページ先頭に移動し（Ｓ０７）、左矢印ボタンまたは上サイドボタンを押せばカーソルを前ページ先頭に移動する（Ｓ０８）。
【００１１】
このように、携帯電話に設けられた機能を一通り選択、実行することが可能になっている。しかし、選択する項目によっては数多くの操作を行い、カーソルを移動させなければならない。特に、今日の携帯電話には非常に多くの機能が搭載されており、まだまだこれからも新たな機能を追加することになるものと予想される。そのような場合にあって、ユーザが操作できるのは上下左右ボタンやセンターボタン等だけであるとすれば、使用したい機能を実行するために行う操作は数多くなり、煩雑化を辿る一方である。つまりユーザインタフェースの選択肢が少ない。対策としてその機能を実行するための専用のボタンを追加するといった新たなハードウェア資源の追加があるが、携帯電話の利点の一つである小型化の機能が損なわれるのでこのような対策は望ましくない。
【００１２】
特許文献１に開示されているような、タッチセンサを用いてその出力に応じて照明装置を点灯・消灯するという技術と、特許文献２に開示されている音声検出部の出力に応じてバックライトを点灯する技術を用いると、音の検出に応じて照明を制御することができると考えられる。しかし、特許文献２ではバックライトを常時点灯させ、消費電流の増加を招くことを回避するために、音声検出部がマイクから入力される音の大きさを常時監視していなければならない構成を有しているものといえる。しかし、係る構成は音声検出部に対する電源供給を常時行わなければならないことを意味し、そのことに対する消費電流の増加は決して無視できない。
【特許文献１】特開２０００−１０６５９８号公報
【特許文献２】特開平０２−１０４０５５号公報
【発明の開示】
【発明が解決しようとする課題】
【００１３】
上記事情を鑑みて、本発明では、特に、音の検出を利用することにより、新たなハードウェア資源を追加することなく小型化・省電力化を維持しつつも、操作の利便性を向上させる移動通信端末などを実現することを目的とする。
【課題を解決するための手段】
【００１４】
上記目的を達成する本発明の態様は、入力した操作を受け付ける操作手段と、入力した音を受け付ける音入力手段と、音データを処理する音処理手段と、前記音データより、当該音データに係る音の要素を検出する音検出手段と、前記音検出手段による検出のタイミングを生成するタイミング生成手段を有し、前記タイミングにおいて前記音検出手段により検出された音の要素に基づいて、前記操作手段による操作の処理（カーソルを上下左右に移動させること等）、または、当該操作に連動した処理（ボタン用照明を点灯すること等）を実行することを特徴とする移動通信端末に関するものである。
【００１５】
ここで、前記音の要素は、前記音入力手段より入力された音の大きさであり、入力された音の大きさが所定の大きさ以上である場合に、前記操作手段による操作の処理、または、当該操作に連動した処理を実行することを特徴とする。さらに、前記所定の大きさとは、入力された音が前記音検出手段により検出されるタイミングの直前のタイミングにおいて前記音検出手段により検出された音の大きさであることを特徴とする。
【００１６】
また、前記音の要素は、前記音入力手段より入力された音のうち特定のものである特定音であり、前記タイミングにおいて前記音検出手段により検出された特定音に基づいて、前記操作手段による操作の処理、または、当該操作に連動した処理を実行することを特徴とする。さらに、前記特定音は、前記移動通信端末を叩く音、または、擦る音であることを特徴とする。
【００１７】
本発明の他の態様は、音データに係る音の要素を検出するタイミングを生成するタイミング生成工程と、前記タイミングにおいて、入力された音の音データより、当該音データに係る音の要素を検出する音検出工程と、検出した前記音の要素に基づいて、移動通信端末の操作の処理、または、当該操作に連動した処理を実行する操作処理工程を有することを特徴とする移動通信端末の操作制御方法に関するものである。
【００１８】
本発明の他の態様は、コンピュータに、入力した操作を受け付ける操作手段と、入力した音を受け付ける音入力手段と、音データを処理する音処理手段と、前記音データより、当該音データに係る音の要素を検出する音検出手段と、前記音検出手段による検出のタイミングを生成するタイミング生成手段として機能させ、前記タイミングにおいて前記音検出手段により検出された音の要素に基づいて、前記操作手段による操作の処理、または、当該操作に連動した処理を実行させることを特徴とする移動通信端末のプログラムに関するものである。
【００１９】
本発明の他の態様は、上記プログラムを記録した記録媒体に関するものである。
【発明の効果】
【００２０】
本発明の移動通信端末は、音の検出を利用するにあたり、当該移動通信端末の操作に支障をきたすことなくその検出タイミングを調整することにより、新たなハードウェア資源を追加することなく小型化・省電力化を維持しつつも、操作の利便性を向上させることができる。
【発明を実施するための最良の形態】
【００２１】
以下、本発明の移動通信端末を実施するための最良の形態について説明する。説明する際には、本明細書と同時に提出する図面を適宜参照することにする。なお、移動通信端末として携帯電話を採り上げるが、その外観構成は図１の携帯電話１００を使用する。
【００２２】
〈構成１〉
図６は携帯電話１００の内部構成を図示したものである。アンテナ１０４、無線送受信部１１３、送受信したデータの変調・復調を行う変復調部１１４、音声データを処理する音声処理部２００、レシーバ１０２、マイク１０７は、音声やデータを無線で送受信するための携帯電話の基本的な構成である。音声処理部２００はその内部に後述の音検出部３００を有する。表示部１０３は液晶ディスプレイなどで操作メニュー、発着信番号、メールなどを表示する。表示用照明部１１６は発光ダイオードなどで構成され、表示部１０３を照らす。ボタン部１０６は複数のボタンから構成され、操作者が発着信番号やメール作成などの操作に使用する。ボタン用照明部１１７は発光ダイオードなどで構成されボタン部１０６の各ボタンを照らす。図７にボタン用照明部１１７の内部構成を図示したもの示す。各ボタンに対応する発光ダイオード１１７（１）、１１７（２）、・・・を有しており、後述のＣＰＵ(Central Processing Unit)１１５よりIO PORT1を介して制御信号を受信し、後述の電源供給部１２０より電源供給を受ける。カウンタ部１１８は表示用照明部１１６やボタン照明部１１７の照明点灯時間の計測に使用する。メモリ部１１９はプログラムやデータを格納するブロックで、ＣＰＵ１１５はメモリ部１１９のプログラムやデータに従って各ブロックを制御する。電源制御部１２０は電池１２１から供給される電力を各ブロックに必要な電圧、必要なタイミングで供給する。
【００２３】
図８は、音検出部３００を含む音声処理部２００の構成を図示したものの一例である。音声処理部２００には、デジタル信号処理部２０３から出力される音声などのデジタル信号をＤ(Digital)／Ａ(Analog)変換部２０２でアナログ信号に変換し、レシーバアンプ２０１で電圧増幅し、レシーバ１０２から音として出力する経路と、マイク１０７から入力した音声などのアナログ信号をマイクアンプ２０４で電圧増幅し、Ａ(Analog)／Ｄ(Digital)変換部２０５でデジタル信号に変換し、デジタル信号処理部２０３に入力する経路がある。デジタル信号処理部２０３は変復調部１１４またはＣＰＵ１１５と音声データをデジタル信号で送受信する。そして、これらの基本的な経路に加えて、音検出部３００を有する。音検出部３００はタイミング生成部３０１と電圧保持部３０３と基準電圧部３０４と比較部３０２で構成される。タイミング生成部３０１は電圧保持部３０３と比較部３０２に音検出のタイミング信号を提供する。この音検出のタイミングは一定周期である。具体的には、検出する音としてはユーザが携帯電話に触れたときに生じる音である。電圧保持部３０３はマイクアンプ２０４から出力されるアナログ信号を常時監視し、タイミング生成部３０１から与えられるタイミングで最大値を比較器３０２に出力し、最大値を初期化する。基準電圧部３０４は常時一定電圧を比較部３０２に出力する。比較部３０２はタイミング生成部３０１から与えられるタイミングで電圧保持部３０３から得る電圧と基準電圧部３０４から与えられる電圧とを比較し、電圧保持部３０３からの電圧が基準電圧部３０４からの電圧より大きい場合にＣＰＵ１１５に通知する。このことはマイク１０７から入力される音の大きさがしきい値以上であればＣＰＵ１１５にその旨が通知されることになる。ＣＰＵ１１５はこの通知を受けて任意の処理を行うことができる。しきい値は基準電圧部３０４の電圧値による。基準電圧部３０３の電圧値はＣＰＵ１１５から変更することができる。電源制御部１２０から音声処理部２００内の各ブロックへの電源が供給される。各ブロックへの電源経路にはON/OFFスイッチが設けられており、ＣＰＵ１１５からブロック単位で制御でき、使用シーン毎に不要なブロックへの給電を停止することで省電力化が実現できる。
【００２４】
図９は、音検出部３００について図８の構成例とは別のものを図示したものである。音検出部３００以外は図３と同じため説明を省略する。音検出部３００はタイミング生成部３０１と第１電圧保持部３０５と第２電圧保持部３０６と基準電圧部３０４と比較部３０２で構成される。タイミング生成部３０１は第１電圧保持部３０５と第２電圧保持部３０６と比較部３０２に音検出のタイミング信号を提供する。音検出のタイミングは一定周期である。第１電圧保持部３０５はマイクアンプ２０４から出力されるアナログ信号を常時監視し、タイミング生成部３０１から与えられるタイミングで最大値を第２電圧検出部３０６と結合子３０７に出力し最大値を初期化する。第２電圧保持部３０６はタイミング生成部３０１から与えられたタイミングで保持していた電圧値を結合子３０７に出力すると同時に第１電圧保持部３０５からの電圧値を保持する。結合子３０７は第１電圧保持部３０５の電圧値から第２電圧保持部３０６の電圧値を引いた値を比較器３０２に伝達する。比較器３０２は結合子３０７からの値と基準電圧部３０４からの電圧値を比較し、結合子３０７からの値が基準電圧部３０４からの電圧値より大きい場合にＣＰＵ１１５に通知する。このことはあるタイミングでマイク１０７から入力された音の大きさが一つ前のタイミングで入力された音の大きさよりも基準電圧部３０４の値以上に大きい場合にＣＰＵ１１５に通知されることになる。ＣＰＵ１１５はこの通知を受けて任意の処理を行うことができる。図８の構成例は基準電圧に対しての絶対値比較であるが、図９の構成例は時間軸上の２点間での音の大きさの差を比較している。よって、図９の場合は周囲の騒音などマイクに常時入力される音を排除することができる。
【００２５】
図１０は、音検出部３００について図８、図９の構成例とは別のものを図示したものである。音検出部３００以外は図８、図９と同じため説明を省略する。音検出部３００はタイミング生成部３０１と比較部３０２から構成される。比較部３０２は記憶部３０８としきい値３０９と比較器３１０で構成される。タイミング生成部３０１は比較部３０２に音検出のタイミング信号を提供する。音検出タイミングは一定周期である。記憶部３０８はＡ／Ｄ変換部２０５から出力されるデジタル信号を常時監視し、タイミング生成部３０１から与えられるタイミングでの最大値をしきい値３０９と比較する。しきい値３０９より記憶部３０８の値が大きい場合にＣＰＵ１１５に通知する。このことはマイク１０７から入力される音の大きさがしきい値３０９以上であればＣＰＵ１１５にその旨が通知されることになる。しきい値３０９はＣＰＵ１１５から変更することができる。図８、図９の構成例はマイクアンプからのアナログ出力を音検出部に入力するが、図１０はＡ／Ｄ変換部２０５からのデジタル信号を音検出部３００に入力する点が異なる。
【００２６】
図１１は、音検出部３００について図８、図９、図１０の構成例とは別のものを図示したものである。音検出部３００以外は図８、図９、図１０と同じため説明を省略する。音検出部３００はタイミング生成部３０１と比較部３０２で構成される。比較部３０２は第１記憶部３１１と第２記憶部３１２としきい値３０９と結合子３１３と比較器３１０で構成される。タイミング生成部３０１は比較部３０２に音検出のタイミング信号を提供する。音検出のタイミングは一定周期である。第１記憶部３１１はＡ／Ｄ変換部２０５から出力されるデジタル信号を常時監視し、タイミング生成部３０１から与えられるタイミングで最大値を第２記憶部３１２と結合子３１０に出力し、最大値を初期化する。第２記憶部３１２はタイミング生成部３０１から与えられたタイミングで保持していた値を結合子３１３に出力すると同時に第１記憶部３１１からの電圧値を保持する。結合子３１３は第１記憶部３１１の値から第２記憶部３１２の値を引いた値を比較器３１０に伝達する。比較器３１０は結合子３１３からの値としきい値３０９の値を比較し、結合子３１３からの値がしきい値３０９より大きい場合にＣＰＵ１１５に通知する。このことは、あるタイミングでマイク１０７から入力された音の大きさが一つ前のタイミングで入力された音の大きさよりもしきい値３０９以上に大きい場合にＣＰＵ１１５に通知されることになる。図１１は図９と同様に時間軸上の２点間での音の大きさの差を比較している。よって、周囲の騒音などマイクに常時入力される音を排除することができる。図９との違いは音の大きさの比較をＡ／Ｄ変換後のデジタル信号で行っている点である。
【００２７】
〈動作１〉
上記構成の動作説明として、図１２を用いてメール編集における音検出部３００に連動させたボタン用照明部１１７のON/OFF制御方法を説明する。
【００２８】
まず、メール編集を行うにあたり最初にボタン用照明を点灯する（Ｓ０１）。次に、ボタン用照明の点灯時間を監視するカウンタを初期化し、カウンタをスタートさせ（Ｓ０２）、ボタン照明が点灯中であれば（Ｓ０３でＹｅｓ）、ボタン押下待ち状態に移行する。「メール編集開始」から始まる場合、必ずＳ０３でＹｅｓとなる。後述するＳ１６でＮｏ、Ｓ１７でＮｏ、Ｓ１９の後の場合、Ｓ０３でＮｏとなる。その場合、マイクアンプ２０４と音検出部３００の各部の電源をＯＮにする（Ｓ０５）。それら以外のブロックの電源はＯＦＦにする。音検出部３００からＣＰＵ１１５に音検出の通知の有無で分岐する（Ｓ０６）。音検出の通知がなければ（Ｓ０６でＮｏ）、ボタン照明はＯＦＦのままでボタン押下待ち状態に移行する。音検出の通知があれば（Ｓ０６でＹｅｓ）、マイクアンプ２０４と音検出部３００の各部の電源をＯＦＦにし（Ｓ０７）、ボタン用照明をＯＮにし（Ｓ０８）、ボタン用照明の点灯時間を監視するカウンタ１１８を初期化し、カウンタをスタートさせる（Ｓ０９）。なお、音検出部３００による音検出を行うタイミングはタイミング生成部３０１より出力されるタイミング信号に基づいて決定されており、音検出部３００に電源が供給されていても常に比較部３０２などが駆動しているわけではない。
【００２９】
ボタンが押下され（Ｓ０４でＹｅｓ）、ボタン照明が点灯中であれば（Ｓ１０でＹｅｓ）、直ちにカウンタを初期化し、カウンタをスタートさせ（Ｓ１１）、ボタン照明が点灯中でなければ（Ｓ０４でＮｏ）、ボタン照明を点灯して（Ｓ１２）、マイクアンプ２０４と音検出部３００の各部の電源をＯＦＦにした後（Ｓ１３）、カウンタを初期化し、スタートさせ（Ｓ１１）、押下されたボタンに該当する処理を実行する（Ｓ１４）。メール文章を完成させる等してメール編集を終了すれば（Ｓ１５でＹｅｓ）一連の操作を終える。
【００３０】
ボタンが押されない場合（Ｓ０４でＮｏ）、ボタン照明が点灯中であり（Ｓ１６でＹｅｓ）、カウンタがタイムアウトになれば（Ｓ１７でＹｅｓ）、ボタン照明を消灯し（Ｓ１８）、カウンタを停止した後（Ｓ１９）、Ｓ０３に移行する。ボタン照明が点灯中でない場合（Ｓ１６でＮｏ）、または、カウンタがタイムアウトでない場合（Ｓ１７でＮｏ）はＳ０３に移行する。また、メール編集が終了していなければ（Ｓ１５でＮｏ）、カウンタのタイムアウトに移行する（Ｓ１７）。
【００３１】
この形態を実施することにより、以下の効果を奏する。まず、省電力のために一定時間ボタン押下がないとボタン照明を消灯させる機能を有する携帯電話１００でメール編集などしている場合に、一定時間経過して照明が消灯してしまっても、操作者の携帯に触る音を検出してボタン照明を点灯させるため、照明無しではボタンが視認できないような暗闇でのボタンの誤操作を防ぐことができる。
また、通話以外でマイクアンプや音検出部の各部に電源供給が必要になるが、ボタン用照明が消灯している期間のうち音検出のタイミング信号に基づくタイミングを満たしている間だけ電源供給するようにすることで、携帯電話の操作に支障をきたすことないように消費電流の増加を最小限に抑えられる。
【００３２】
〈構成２〉
図１３は、音検出部３００を含む音声処理部２００の構成を図示したものの一例である。音声処理部２００はレシーバアンプ２０１とＤ／Ａ変換部２０２とマイクアンプ２０４とＡ／Ｄ変換部２０５とデジタル信号処理部２０３と特定音検出部２０６から構成される。
【００３３】
電源制御部１２０から音声処理部２００内の各ブロックに給電され、各ブロックへ毎に給電ON/OFF可能なスイッチが用意され、ＣＰＵ１１５からON/OFFを設定できる。この構成の特徴は、デジタル信号処理部２０３内に特定音検出部２０６を持つことである。特定音検出部２０６は、マイク１０７より入力し、デジタル変換された音声データが、予め設定された特定音の条件を満たすか否かの判定を行う。特定音としては操作者が携帯電話１００の筐体を擦ったり、叩いたりした時にマイクから入力される音とする。
【００３４】
〈動作２〉
上記構成の動作説明として、図１４を用いて設定メニューの内容を実行するまでの操作の制御方法を説明する。この動作により、ボタン部１０６によるボタン操作に加えて、携帯電話１００を擦る音でカーソルを１つ下に移動し、叩く音でカーソルがある項目を実行できるようにする。
【００３５】
まず、マイクアンプ２０４、Ａ／Ｄ変換部２０５、デジタル信号処理部２０３の電源をＯＮして、マイク１０７からの音を特定音検出部２０６に入力できるようにする（Ｓ０１）。特定音を検出し（Ｓ０２でＹｅｓ）、かつ、その特定音が叩く音であれば（Ｓ０３でＹｅｓ）の場合、マイクアンプ２０４、Ａ／Ｄ変換部２０５、デジタル信号処理部２０３の電源をＯＦＦして特定音検出に関するブロックの電源をＯＦＦし（Ｓ０７）、現在カーソルがある項目を実行し（Ｓ０８）、設定メニューを終える。特定音を検出し（Ｓ０２でＹｅｓ）、かつ、その特定音が叩く音ではなく（Ｓ０３でＮｏ）、擦る音であれば（Ｓ０４でＹｅｓ）、カーソルを１つ下に移動するように実行し（Ｓ１１）、Ｓ０２に移行して特定音検出の待機状態に入る。特定音を検出することもなく（Ｓ０２でＮｏ）、または、特定音が叩く音でも擦る音でもなければ（Ｓ０４でＮｏ）、ボタン押下待ち状態に移行し、ボタン押下の有無を検出する（Ｓ０５）。
【００３６】
ボタン押下待ち状態において、ボタンが押下されなければ（Ｓ０５でＮｏ）、特定音検出の待機状態に入る（Ｓ０２）。ボタンが押下されれば（Ｓ０５でＹｅｓ）、そのボタンの種類を判別する（Ｓ０６）。センターボタンを押せば、マイクアンプ２０４、Ａ／Ｄ変換部２０５、デジタル信号処理部２０３の電源をＯＦＦして特定音検出に関するブロックの電源をＯＦＦし（Ｓ０７）、現在カーソルがある項目を実行する（Ｓ０８）。「０」〜「９」ボタンを押せば、マイクアンプ２０４、Ａ／Ｄ変換部２０５、デジタル信号処理部２０３の電源をＯＦＦして特定音検出に関するブロックの電源をＯＦＦし（Ｓ０９）、該当する番号の項目を実行する（Ｓ１０）。また、下矢印ボタンを押せばカーソルを１つ下に移動し（Ｓ１１）、上矢印ボタンを押せばカーソルを１つ上に移動し（Ｓ１２）、右矢印ボタンまたは下サイドボタンを押せばカーソルを次ページ先頭に移動し（Ｓ１３）、左矢印ボタンまたは上サイドボタンを押せばカーソルを前ページ先頭に移動する（Ｓ１４）。それぞれの移動の後、特定音検出の待機状態に入る（Ｓ０２）。
【００３７】
この形態を実施することにより、以下の効果を奏する。まず、特定音検出による操作を追加することで、ユーザインタフェースの選択肢を増やし、ボタン部１０６にのみによる操作に伴う煩雑さを解消することができる。
また、マイクからの音検出で済むので、新たなハードウェア資源の追加が不要であり、携帯電話１００の小型化に貢献しうる。
【００３８】
なお、上述した形態は本発明の移動通信端末を実施するための最良のものであるが、係る形態に限定するものではない。従って、本発明の要旨を変更しない範囲においてその実施形式を種々変形することが可能である。
【００３９】
例えば、図８〜図１１の音検出部３００を音声処理部２００内にハードウェアで実現する変わりに、図１５に図示するように、デジタル信号処理部２０３やＣＰＵ１１５で実現するようにソフトウェアを変更して対応することも可能である。
【００４０】
このように、ソフトウェアの変更で実現することにより、新たなバードウェアの追加や変更を行う必要が無くなる、もしくは最小限に抑えられる。特に、タイミング生成部３０１、比較部３０２の機能をソフトウェアにより実現することに大きな意義がある。
【図面の簡単な説明】
【００４１】
【図１】携帯電話１００の外観構成を図示したものである。
【図２】ボタン部１０６の（ａ）非照明時、（ｂ）照明時の様子を図示したものである。
【図３】メール編集を行う場合にボタンの照明を制限する様子をフローチャートとして図示したものである。
【図４】表示部１０３で表示される画面を図示したものである。
【図５】設定メニューの内容を実行するまでの操作をフローチャートとして図示したものである。
【図６】携帯電話１００の内部構成を図示したものである。
【図７】ボタン用照明部１１７の内部構成を図示したものである。
【図８】音検出部３００を含む音声処理部２００の構成を図示したものの一例である。
【図９】音検出部３００を含む音声処理部２００の構成を図示したものの一例である。
【図１０】音検出部３００を含む音声処理部２００の構成を図示したものの一例である。
【図１１】音検出部３００を含む音声処理部２００の構成を図示したものの一例である。
【図１２】メール編集における音検出部３００に連動させたボタン用照明部１１７のON/OFF制御方法に関するフローチャートを図示したものである。
【図１３】音検出部３００を含む音声処理部２００の構成を図示したものの一例である。
【図１４】特定音を検出して、設定メニューの内容を実行するまでの操作をフローチャートとして図示したものである。
【図１５】音検出部３００を含まない音声処理部２００の構成を図示したものの一例である。
【符号の説明】
【００４２】
１００    携帯電話
１０１    上部筐体
１０２    レシーバ
１０３    表示部
１０４    アンテナ
１０５    下部筐体
１０６    ボタン部
１０７    マイク
１０８    ボタン
１０９    ボタンシート部
１１０    基板
１１１    ボタン回路
１１２    発光ダイオード
１１３    無線送受信部
１１４    変復調部
１１５    ＣＰＵ
１１６    表示用照明部
１１７    ボタン用照明部
１１８    カウンタ部
１１９    メモリ部
１２０    電源制御部
１２１    電池
２００    音声処理部
２０１    レシーバアンプ
２０２    Ｄ／Ａ変換部
２０３    デジタル信号処理部
２０４    マイクアンプ
２０５    Ａ／Ｄ変換部
３００    音検出部
３０１    タイミング生成部
３０２    比較部
３０３    電圧保持部
３０４    基準電圧部
３０５    第１電圧保持部
３０６    第２電圧保持部
３０７    結合子
３０８    記憶部
３０９    しきい値
３１０    比較器
３１１    第１記憶部
３１２    第２記憶部
３１３    結合子
【図１】
2007201940.tif 000003
【図２】
2007201940.tif 000004
【図３】
2007201940.tif 000005
【図４】
2007201940.tif 000006
【図５】
2007201940.tif 000007
【図６】
2007201940.tif 000008
【図７】
2007201940.tif 000009
【図８】
2007201940.tif 000010
【図９】
2007201940.tif 000011
【図１０】
2007201940.tif 000012
【図１１】
2007201940.tif 000013
【図１２】
2007201940.tif 000014
【図１３】
2007201940.tif 000015
【図１４】
2007201940.tif 000016
【図１５】
2007201940.tif 000017